(57)【要約】【課題】  マルチタッチ操作に基づいて画面構成が異なる２つの表示モードを切り替える場合において、ユーザにとって快適な操作性を提供する。【解決手段】  プレビュー画像を表示する第１の表示領域へのピンチアウト操作の開始に応じて第１の表示モードから第２の表示モードへ表示を切替え、前記第１の表示領域へのピンチイン操作が終了し、かつプレビュー画像の表示サイズが所定の閾値に達したことに従って第２の表示モードから第２の表示モードへ表示を切り替える。【選択図】  図３
2019145183.tif 000002
【特許請求の範囲】
【請求項１】
タッチパネルを有する画像処理装置であって、
前記タッチパネルに対するユーザ操作を検知する検知手段と、
プレビュー画像を表示する第１の表示領域、および前記第１の表示領域とは異なる第２の表示領域であって、前記プレビュー画像を印刷する印刷指示を行うためのファンクションキーを少なくとも含む前記第２の表示領域を表示する第１の表示モードと、
前記第１の表示モードである場合の前記プレビュー画像よりも拡大されたプレビュー画像を表示し、前記第２の表示領域を表示しない第２の表示モードと、を切り替え可能な表示制御手段と、を有し、
前記表示制御手段は、
前記第１の表示モードで表示されている前記プレビュー画像に対し、前記検知手段により少なくとも２つの入力指示体が接触している状態から前記少なくとも２つの入力指示体の距離が広がったことが検知されると、前記第１の表示領域に表示されているプレビュー画像を拡大し、前記第１の表示モードで表示されている前記第２の表示領域を表示しないことで前記第２の表示モードに切り替えることを特徴とする画像処理装置。
【請求項２】
前記表示制御手段は、
前記第２の表示モードで表示されている前記プレビュー画像に対し、前記検知手段により少なくとも２つの入力指示体が触れている状態から前記少なくとも２つの入力指示体の距離が狭まったことが検知されると、前記第１の表示領域に表示されているプレビュー画像を縮小し、
前記少なくとも２つの入力指示体のうちの少なくともいずれか一方が前記タッチパネルから離れたことが検知されると、非表示もしくは縮小表示された前記第２の表示領域を前記第１の表示モードの場合の前記第２の表示領域と同じ状態に表示することによって、前記第２の表示モードから前記第１の表示モードへ切り替えることを特徴とする請求項１の記載の画像処理装置。
【請求項３】
前記表示制御手段は、
前記第２の表示モード時において、前記少なくとも２つの入力指示体のうちの少なくともいずれか一方が前記第１の表示領域から離れたことを検知し、かつ、前記プレビュー画像の表示サイズが所定の閾値に達したことに従って、前記第２の表示モードから前記第１の表示モードへ切り替えることを特徴とする請求項１または２に記載の画像処理装置。
【請求項４】
前記表示制御手段は、
前記プレビュー画像を拡大するための拡大キーを表示し、
前記拡大キーを選択することによって前記プレビュー画像を拡大し、前記拡大キーは、前記第１の表示モードおよび前記第２の表示モードにおいて表示されることを特徴とする請求項１乃至３のいずれか一項に記載の画像処理装置。
【請求項５】
前記表示制御手段は、
前記第１の表示モードにおけるプレビュー画像の中心位置と、
前記第２の表示モードにおけるプレビュー画像の中心位置と、が同じになるように前記プレビュー画像を表示することを特徴とする請求項１乃至４のいずれか一項に記載の画像処理装置。
【請求項６】
前記第２の表示領域には、前記第１の表示領域に表示されているプレビュー画像のページを変更するための変更ボタン、前記第１の表示領域に表示されているプレビュー画像に該当するページを削除するための削除ボタン、の少なくとも一つが含まれることを特徴とする請求項１乃至５のいずれか１項に記載の画像処理装置。
【請求項７】
原稿上の画像を読み取ることにより画像を生成する読み取り手段を有することを特徴とする請求項１乃至６のいずれか１項に記載の画像処理装置。
【請求項８】
タッチパネルを有する画像処理装置として機能させるためのプログラムであって、
前記タッチパネルに対するユーザ操作を検知する検知手段と、
プレビュー画像を表示する第１の表示領域、および前記第１の表示領域とは異なる第２の表示領域であって、前記プレビュー画像を印刷する印刷指示を行うためのファンクションキーを少なくとも含む前記第２の表示領域を表示する第１の表示モードと、
前記第１の表示モードである場合の前記プレビュー画像よりも拡大されたプレビュー画像を表示し、前記第２の表示領域を表示しない第２の表示モードと、を切り替え可能な表示制御手段と、を有し、
前記表示制御手段は、
前記第１の表示モードで表示されている前記プレビュー画像に対し、前記検知手段により少なくとも２つの入力指示体が接触している状態から前記少なくとも２つの入力指示体の距離が広がったことが検知されると、前記第１の表示領域に表示されているプレビュー画像を拡大し、前記第１の表示モードで表示されている前記第２の表示領域を表示しないことで前記第２の表示モードに切り替えることを特徴とする画像処理装置として機能させるためのプログラム。
【請求項９】
タッチパネルを有する画像処理装置の制御方法であって、
前記タッチパネルに対するユーザ操作を検知する検知ステップと、
プレビュー画像を表示する第１の表示領域、および前記第１の表示領域とは異なる第２の表示領域であって、前記プレビュー画像を印刷する印刷指示を行うためのファンクションキーを少なくとも含む前記第２の表示領域を表示する第１の表示モードと、
前記第１の表示モードである場合の前記プレビュー画像よりも拡大されたプレビュー画像を表示し、前記第２の表示領域を表示しない第２の表示モードと、を切り替え可能な表示制御ステップと、を有し、
前記表示制御ステップは、
前記第１の表示モードで表示されている前記プレビュー画像に対し、前記検知ステップにより少なくとも２つの入力指示体が接触している状態から前記少なくとも２つの入力指示体の距離が広がったことが検知されると、前記第１の表示領域に表示されているプレビュー画像を拡大し、前記第１の表示モードで表示されている前記第２の表示領域を表示しないことで前記第２の表示モードに切り替えることを特徴とする画像処理装置の制御方法。
【発明の詳細な説明】
【技術分野】
【０００１】
本発明は、画像処理装置、画像処理装置の制御方法、及びプログラムに関する。
【背景技術】
【０００２】
近年、ユーザによる直感的な操作を可能にするために、マルチタッチ操作を検出可能なタッチパネルを備えた情報処理装置が一般的になりつつある。このタッチパネル上で行うマルチタッチ操作としては、ピンチインやピンチアウトなどがある。ピンチインとは、タッチパネル上に表示した対象物を二本の指でつまむようにする操作であり、この操作により対象物の縮小を直感的に実行することができる。また、ピンチアウトとは、タッチパネル上に表示した対象物を二本の指で広げるようにする操作であり、この操作により対象物の拡大を直感的に実行することができる。
特許文献１には、ディスプレイ上に拡大表示している画像を、ピンチイン操作により縮小し、画像の表示倍率が所定の閾値以下になった場合に拡大表示を終了することが開示されている。
【先行技術文献】
【特許文献】
【０００３】
【特許文献１】特開２０１３−１９０９８２号公報
【発明の概要】
【発明が解決しようとする課題】
【０００４】
ここで、画像を拡大表示しているときは、拡大表示する前とで画面の構成が変わる場合がある。例えば、拡大表示前は表示画像に対する各種操作ボタンを表示し、拡大表示時は当該操作ボタンを非表示にする場合等である。このような場合において、ユーザがタッチパネル上で２本の指を触れたまま、指の間隔を広げたり狭めたりといった操作を連続的に行うと、画像の拡大と縮小とが交互に行われることになる。この時、画像の表示サイズが閾値を超えたか否かのみを上記操作ボタンの表示・非表示の切替え条件とすると、画面構成が異なる二つの表示状態が連続的に切り替わる状況が発生する。その結果、ユーザにとっては画面がちらついて見えてしまい、快適な操作性を提供することができない可能性がある。
【０００５】
本発明は、マルチタッチ操作に基づいて画面構成が異なる２つの表示モードを切り替える場合において、ユーザにとって快適な操作性を提供することを目的とする。
【課題を解決するための手段】
【０００６】
上記課題を解決するため、本発明は、タッチパネルを有する画像処理装置であって、前記タッチパネルに対するユーザ操作を検知する検知手段と、プレビュー画像を表示する第１の表示領域、および前記第１の表示領域とは異なる第２の表示領域であって、前記プレビュー画像を印刷する印刷指示を行うためのファンクションキーを少なくとも含む前記第２の表示領域を表示する第１の表示モードと、前記第１の表示モードである場合の前記プレビュー画像よりも拡大されたプレビュー画像を表示し、前記第２の表示領域を表示しない第２の表示モードと、を切り替え可能な表示制御手段と、を有し、前記表示制御手段は、前記第１の表示モードで表示されている前記プレビュー画像に対し、前記検知手段により少なくとも２つの入力指示体が接触している状態から前記少なくとも２つの入力指示体の距離が広がったことが検知されると、前記第１の表示領域に表示されているプレビュー画像を拡大し、前記第１の表示モードで表示されている前記第２の表示領域を表示しないことで前記第２の表示モードに切り替えることを特徴とする。
【発明の効果】
【０００７】
本発明によれば、マルチタッチ操作に基づいて画面構成が異なる２つの表示モードを切り替える場合においてユーザにとって快適な操作性を提供することができる。
【図面の簡単な説明】
【０００８】
【図１】本実施形態の画像処理装置のハードウェア構成例を示す図である。
【図２】画像処理装置のディスプレイに表示される画面例を示す図である。
【図３】プレビュー画面の表示切り替えの処理を示すフローチャートである。
【発明を実施するための形態】
【０００９】
以下、本発明の実施形態について図面を用いて説明する。なお、以下の実施の形態は特許請求の範囲に係る発明を限定するものでなく、また実施の形態で説明されている特徴の組み合わせの全てが発明の解決手段に必須のものとは限らない。
【００１０】
図１は、本実施形態における画像処理装置のハードウェア構成例を示す図である。図１では、画像処理装置として、ＭＦＰ（Ｍｕｌｔｉ  Ｆｕｎｃｔｉｏｎ  Ｐｅｒｉｐｈｅｒａｌ）を例にとって説明する。
【００１１】
ＭＦＰ１０１は、ＣＰＵ１１１乃至プリンタ１２２を備える。ＣＰＵ１１１、ＲＡＭ１１２、ＲＯＭ１１３、入力部１１４、表示制御部１１５、外部メモリＩ／Ｆ１１６、通信Ｉ／Ｆコントローラ１１７は、システムバス１１０に接続されている。また、タッチパネル１１８、ディスプレイ１１９、外部メモリ１２０が、システムバス１１０に接続されている。各処理部は、システムバス１１０を介して互いにデータのやりとりを行うことができるように構成されている。ＣＰＵ１１１、ＲＡＭ１１２、及びＲＯＭ１１３はそれぞれ、Ｃｅｎｔｒａｌ  Ｐｒｏｃｅｓｓｉｎｇ  Ｕｎｉｔ、Ｒａｎｄｏｍ  Ａｃｃｅｓｓ  Ｍｅｍｏｒｙ、Ｒｅａｄ  Ｏｎｌｙ  Ｍｅｍｏｒｙの略称である。
【００１２】
ＲＯＭ１１３は、不揮発性のメモリであり、画像データやその他のデータ、ＣＰＵ１１１が動作するための各種プログラムなどが、それぞれ所定の領域に格納される。ＲＡＭ１１２は、揮発性のメモリであり、ＣＰＵ１１１の主メモリ、ワーク領域等の一時記憶領域として用いられる。ＣＰＵ１１１は、例えばＲＯＭ１１３に格納されるプログラムに従い、ＲＡＭ１１２をワークメモリとして用いて、このＭＦＰ１０１の各部を制御する。なお、ＣＰＵ１１１が動作するためのプログラムは、ＲＯＭ１１３に限らず、外部メモリ（ハードディスク等）１２０に予め記憶しておいてもよい。
【００１３】
入力部１１４は、ユーザ操作を受け付け、操作に応じた制御信号を生成し、ＣＰＵ１１１に供給する。例えば、入力部１１４は、入力デバイスとして機能するキーボード（不図示）や、マウス（不図示）やタッチパネル１１８からユーザ操作を受付ける。なお、タッチパネル１１８は、例えば平面的に構成された入力部に対して接触された位置に応じた座標情報が出力されるようにした入力デバイスである。ＣＰＵ１１１は、入力デバイスに対してなされたユーザ操作に応じて入力部１１４で生成され供給される制御信号に基づき、プログラムに従いこのＭＦＰ１０１の各部を制御する。これにより、ＭＦＰ１０１はユーザ操作に応じた動作を行うことができる。
【００１４】
表示制御部１１５は、ディスプレイ１１９に対して画像を表示させるための表示信号を出力する。例えば、ＣＰＵ１１１は、プログラムに従い生成した表示制御信号を表示制御部１１５に供給する。表示制御部１１５は、この表示制御信号に基づき表示信号を生成してディスプレイ１１９に対して出力する。例えば、表示制御部１１５は、ＣＰＵ１１１が生成する表示制御信号に基づき、ＧＵＩ（Ｇｒａｐｈｉｃａｌ  Ｕｓｅｒ  Ｉｎｔｅｒｆａｃｅ）を構成するＧＵＩ画面をディスプレイ１１９に表示させる。
【００１５】
タッチパネル１１８はディスプレイ１１９と一体的に構成され、タッチパネルディスプレイとして機能する。例えば、製造者は、タッチパネル１１８を光の透過率がディスプレイ１１９の表示を妨げないように構成し、ディスプレイ１１９の表示面の上層に取り付ける。そして、製造者は、タッチパネル１１８における入力座標と、ディスプレイ１１９上の表示座標とを対応付ける。これにより、ユーザがディスプレイ１１９上に表示された画面を直接的に操作できるＧＵＩが構成される。タッチパネル１１８は、抵抗膜方式や静電容量方式、光学方式、表面弾性波方式、赤外線方式、電磁誘導方式、画像認識方式、光センサ方式等、様々な方式のタッチパネルのうちいずれの方式のものを用いても良い。
【００１６】
外部メモリＩ／Ｆ１１６には、例えばハードディスクやフロッピー（登録商標）ディスク、又はＣＤやＤＶＤ、メモリーカード等の外部メモリ１２０が装着可能である。外部メモリＩ／Ｆ１１６は、ＣＰＵ１１１の制御に基づき、装着された外部メモリ１２０からのデータの読み出しや、外部メモリ１２０へのデータの書き込み等を行う。
【００１７】
通信Ｉ／Ｆコントローラ１１７は、ＣＰＵ１１１の制御に基づき、例えばＬＡＮやインターネット、有線、無線等の各種ネットワーク１０２に対する通信を行う。例えば、スキャナ１２１により生成された画像データをネットワーク１０２経由で外部に送信することや、ネットワーク１０２経由で外部から受信した画像データをプリンタ１２２にて印刷することができる。ネットワーク１０２には、ＰＣや他のＭＦＰ、プリンタ、サーバ等、様々な装置がＭＦＰ１０１と通信可能に接続される。
【００１８】
スキャナ１２１は、原稿上の画像を読み取り、画像データを生成する。生成された画像データは、ＲＡＭ１１２、ＲＯＭ１１３等に格納される。プリンタ１２２は、入力部１１４を介して入力されたユーザの指示や通信Ｉ／Ｆコントローラ１１７を介して外部装置から入力されたコマンドに基づいて、画像データを記録媒体上に印刷出力する。また、スキャナ１２１によって生成された画像データに基づいてプリンタ１２２が印刷を行うことにより、コピー機能が実現される。
【００１９】
なお、ＣＰＵ１１１は、タッチパネル１１８への例えば以下のジェスチャ操作や状態を特定できる。タッチパネルに指やペン（入力指示体）が触れたこと（以下、タッチスタートと称する）。タッチパネルに指やペンが触れている状態であること（以下、タッチオンと称する）。タッチパネルに指やペンが触れられたまま指やペンが移動していること（以下、タッチムーブと称する）。タッチパネルへ触れていた指やペンが離れたこと（以下、タッチエンドと称する）。タッチパネルに何も触れていない状態（以下、タッチオフと称する）等である。これらの操作や、タッチパネル上に指やペンが触れている位置座標はシステムバス１１０を通じてＣＰＵ１１１に通知され、ＣＰＵ１１１は通知された情報に基づいてタッチパネル上で行われた操作を特定する。タッチムーブについては、タッチパネル上で移動する指やペンの移動方向についても、位置座標の変化に基づいて、タッチパネル上の垂直成分・水平成分毎に判定できる。またタッチパネル上をタッチスタートから素早くタッチエンドをする操作をクリックと呼ぶ。またタッチパネル上をタッチスタートから一定のタッチムーブを経てタッチエンドをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。ＣＰＵ１１１は、所定距離以上を、所定速度以上でタッチムーブしたことを検出し、そのままタッチエンドを検出すると、フリックが行なわれたと判定する。また、所定距離以上のタッチムーブが検出され、そのままタッチオンが検出されている場合には、ドラッグが行なわれたと判定する。
【００２０】
また、タッチパネル１１８は、マルチタッチに対応しており、タッチオンやタッチムーブしている位置を複数同時に検出可能である。タッチパネルを２本の指やスタイラスペンで触れている状態から、その２点を結ぶ線分の方向に対して、２点間の距離を縮めたり伸ばしたりするように指を移動することがある。ユーザが２本の指を近づけたり離したりする操作は、ちょうど指で物をつまんだり、引き延ばす行為に似ていることから「ピンチ操作」と呼ばれる。タッチパネル上で２本の指の距離を広げていく操作をピンチアウト、２本の指の距離を狭めていく操作をピンチインと呼ぶ。
【００２１】
通常、ピンチ操作は、ユーザの親指と人差し指を使って行われることが多い。ＣＰＵ１１１は、２点同時にタッチオンされている状態から、それぞれもしくは一方のタッチ位置がムーブしたとき、ピンチ操作が開始されたと判断する。また、ＣＰＵ１１１は、ピンチ操作している２点を結ぶ線分の中心点座標、２点間の距離を算出することができる。２点のタッチ位置の間隔が広がった場合、ＣＰＵ１１１はピンチアウト操作が開始されたと判定する。なお、２点のタッチ位置の間隔が記憶領域に予め記憶しておいた所定値以上広がった場合にピンチアウト操作が開始されたと判断するようにしてもよい。タッチパネル１１８上から指やペンが離れ、タッチが１点以下になったら、ＣＰＵ１１１はタッチエンドとして検出し、ピンチアウト操作が終了したと判断する。２点のタッチ位置の間隔が狭まる場合、ＣＰＵ１１１はピンチイン操作が開始されたと判断する。なお、２点のタッチ位置の間隔が記憶領域に予め記憶しておいた所定値以上狭まった場合にピンチイン操作が開始されたと判断するようにしてもよい。タッチパネル１１８上から指やペンが離れ、タッチが１点以下になったら、ＣＰＵ１１１はタッチエンドとして検出し、ピンチイン操作が終了したと判断する。
【００２２】
次に、ＭＦＰ１０１が備えるプレビュー機能について説明する。本実施形態において、プレビュー機能とは、ＲＡＭ１１２または外部メモリ１２０に保存された画像データをディスプレイ１１９に表示する機能である。ＣＰＵ１１１は、一または複数のページを含むプレビュー画面をディスプレイ１１９に表示させる表示制御を行う。すなわち、ＣＰＵ１１１は、保存された画像データから、ディスプレイ１１９で表示するのに適したフォーマットの画像データを生成する。以下ではディスプレイ１１９に表示するのに適したフォーマットの画像データをプレビュー画像と呼ぶ。なお、外部メモリ１２０に保存された画像データは、複数のページから構成されていてもよく、その場合にはページ毎にプレビュー画像が生成される。プレビュー機能は、プリンタ１２２による印刷前のプレビューに限らず、画像データの内容を確認する目的で、あらゆる用途に適用することができる。
【００２３】
ＭＦＰ１０１は、いくつかの方法により画像データをＲＡＭ１１２もしくは外部メモリ１２０に保存することができる。例えば、ＭＦＰ１０１は、スキャナ１２１によって原稿上の画像を読み取って生成された画像データを保存する。又は、ＭＦＰ１０１は、通信Ｉ／Ｆコントローラ１１７を介してネットワーク１０２上に接続されているＰＣ等の外部装置から受信した画像データを保存する。又は、ＭＦＰ１０１は、外部メモリＩ／Ｆ１１６に装着された可搬型の記憶媒体（ＵＳＢメモリやメモリーカード等）から受信した画像データを保存する。その他、ＭＦＰ１０１は、別の保存方法によって画像データを外部メモリ１２０に保存してもよい。なお、保存される画像データはスキャナ１２１によって読み取られた原稿に対し印刷設定内容を含む各種設定内容が反映されたデータであってもよい。又、ディスプレイ１１９に表示される画像データは、文字情報を含むものであってもよいし、写真やグラフィックイメージ等の画像情報を含むものであってもよいし、その両方やその他の情報を含むものであってもよい。又、画像データは予め内部に保存されたサンプルイメージであってもよい。
【００２４】
図２は、ＭＦＰ１０１のディスプレイ１１９に表示されたプレビュー画像を示す画面例である。図２（Ａ）に示すプレビュー画面２００は、プレビュー画像を表示するための画面であり、プレビュー表示領域２０１、ナビゲーション領域２１７、ページ制御領域２１８を含む。
【００２５】
プレビュー表示領域２０１はプレビュー画像２０２を表示するための表示領域であり、ユーザのジェスチャ操作を受け付け可能な領域である。なお、本実施形態においては、プレビュー表示領域２０１にプレビュー画像を１ページ分だけ表示しているが、複数ページを同時に表示しても良い。ＭＦＰ１０１のＣＰＵ１１１は、プレビュー表示領域２０１に対するジェスチャ操作を検出し、プレビュー画像２０２の表示を操作することができる。ジェスチャ操作としては、上述のフリック、ドラッグ、ピンチイン、ピンチアウトがあるが、これ以外の操作をジェスチャ操作として採用してもよい。なお、ジェスチャ操作を受け付ける領域はプレビュー表示領域２０１の近傍の領域を含めたものであっても構わない。
【００２６】
プレビュー画像２０２は、保存されている画像データを表示のために適切なサイズに縮小・拡大された画像である。又は、画像データに対する印刷設定を含む各種設定に基づいて作成された画像であっても良い。
【００２７】
閉じるボタン２０３は、プレビュー画面２００を閉じ別の画面に遷移させるためのボタンである。ユーザがこのボタンをタッチすることによって、ＣＰＵ１１１は、プレビュー機能を終了させる。
【００２８】
送信指示ボタン２０４は、表示されている画像データの送信を指示するためのボタンである。ユーザがこのボタンをタッチすることによって、ＣＰＵ１１１はネットワーク１０２上に接続されているＰＣ等の外部装置に対して、画像データの送信処理を行う。また、プレビュー画面２００を閉じ別の画面に遷移させる。プレビュー画面２００へ遷移する前に送信に関する設定（送信宛先等）がされていない状態ではＣＰＵ１１１は送信指示ボタン２０４を非表示にする。また、中止ボタン（不図示）は送信処理を中止するためのボタンである。ユーザがこのボタンをタッチすることによって、ＣＰＵ１１１は送信処理を中止し、プレビュー画面２００を閉じ別の画面に遷移させる。プレビュー画面２００へ遷移する前に送信に関する設定がされていない状態ではＣＰＵ１１１は中止ボタンを非表示にする。中止ボタンを表示している場合は、閉じるボタン２０３を非表示にする。
【００２９】
印刷指示ボタン２０５は、表示されている画像データの印刷を指示するためのボタンである。ユーザがこのボタンをタッチすることによって、ＣＰＵ１１１はプリンタ１２２による印刷処理を開始させ、プレビュー画面２００を閉じ別の画面に遷移させる。ＣＰＵ１１１は、印刷に関する設定（出力用紙サイズ、出力部数等）がされていない状態では印刷指示ボタン２０５を非表示にする。
【００３０】
プレビュー画像拡大ボタン２０６は、プレビュー表示領域２０１に表示されているプレビュー画像２０２の画像を拡大表示するためのボタンである。ユーザがこのボタンをタッチすることによって、ＣＰＵ１１１はプレビュー画像２０２の大きさを拡大し、プレビュー表示領域２０１に表示する。
【００３１】
ページ数表示領域２０７は、画像データが複数のページで構成されている場合、総ページ数と現在表示されているプレビュー画像２０２が何ページ目であるかを示す表示領域である。ＣＰＵ１１１は、表示されているページが変更になった場合、何ページ目のプレビュー画像２０２であるかを判断して、ページ数表示領域２０７の表示内容を更新する。図２（Ａ）の例では、画像データの総ページ数が５で、現在表示されているのが３ページ目であることが示されている。
【００３２】
ページ戻るボタン２０８は、画像データが複数のページから構成されている場合、表示されているプレビュー画像２０２の前ページへのページ変更指示を行うための変更ボタンである。ユーザがこのボタンをタッチすることによって、ＣＰＵ１１１は前ページの画像データを読み出し、現在表示されているプレビュー画像２０２と差し替えて表示する。または、プレビュー表示領域２０１に複数ページが同時に表示されている場合は、前ページに該当するプレビュー画像２０２がプレビュー表示領域２０１の中心に配置されるよう表示内容を更新する。
【００３３】
ページ進むボタン２０９は、画像データが複数のページから構成されている場合、表示されているプレビュー画像２０２の次のページへのページ変更指示を行うための変更ボタンである。ユーザがこのボタンをタッチすることによって、ＣＰＵ１１１は次ページの画像データを読み出し、現在表示されているプレビュー画像２０２と差し替えて表示する。または、プレビュー表示領域２０１に複数ページが同時に表示されている場合は、次ページに該当するプレビュー画像２０２がプレビュー表示領域２０１の中心に配置されるよう表示内容を更新する。
【００３４】
ページ削除ボタン２１０は、表示されているプレビュー画像２０２に該当するページを画像データから削除するためのボタンである。ユーザがこのボタンをタッチすることによって、ＣＰＵ１１１は画像データから該当のページを削除するか否かを選択させる削除確認画面（不図示）をプレビュー画面２００の上に重ねるように表示する。
【００３５】
ファイル種類表示領域２１１は、表示されている画像データに関連付けられたファイル種類を表示する領域である。画像データのフォーマットがＰＤＦの場合は、ＣＰＵ１１１はＰＤＦを示す画像をファイル種類表示領域２１１に表示する。画像データのフォーマットがＪＰＥＧの場合は、ＪＰＥＧを示す画像を表示する。ファイル種類が画像データに関連付けられていない場合は、ＣＰＵ１１１はファイル種類表示領域２１１を非表示にする。
【００３６】
ファイル名表示領域２１２は、表示されている画像データに関連付けられたファイル名を表示する領域である。ファイル名が画像データに関連付けられていない場合は、ＣＰＵ１１１はファイル名表示領域２１２を非表示にする。
【００３７】
ナビゲーション領域２１７は、プレビュー画像２０２に対する処理指示を行うための各種ボタンが表示される領域であり、閉じるボタン２０３、送信指示ボタン２０４、印刷指示ボタン２０５が表示されている。ナビゲーション領域２１７上にあるボタンは、ナビゲーション領域２１７の表示条件と関連付けられており、ナビゲーション領域２１７を非表示にすると、閉じるボタン２０３、送信指示ボタン２０４、印刷指示ボタン２０５も非表示になる。
【００３８】
ページ制御領域２１８は、プレビュー表示領域２０１に表示されるプレビュー画像２０２のページを制御するための各種ボタンが表示される領域である。ページ制御領域２１８には、ページ数表示領域２０７、ページ戻るボタン２０８、ページ進むボタン２０９、ページ削除ボタン２１０が表示されている。ページ制御領域２１８上にあるボタンおよび領域は、ページ制御領域２１８の表示条件と関連付けられている。ページ制御領域２１８を非表示にすると、ページ数表示領域２０７、ページ戻るボタン２０８、ページ進むボタン２０９、ページ削除ボタン２１０も非表示になる。
【００３９】
ここでユーザのピンチアウト操作によるプレビュー画像２０２の拡大表示制御について説明する。本実施形態において、ユーザはプレビュー表示領域２０１を指やペンでタッチしてピンチアウト操作を行うことによって、プレビュー画像２０２を拡大表示することができる。また、ピンチアウト操作の開始に応じて、ナビゲーション領域２１７、ページ制御領域２１８が非表示となり、プレビュー画面２００に占めるプレビュー表示領域２０１の範囲が拡張される。
【００４０】
ＣＰＵ１１１は、プレビュー表示領域２０１に対するピンチアウト操作の開始を検出すると、プレビュー画面２００のレイアウトを変更し、プレビュー画像２０２の表示サイズを拡大する処理を行う。また、ＣＰＵ１１１は、２点以上のタッチ位置のタッチ中心座標を特定し、プレビュー表示領域２０１に対し、特定したタッチ中心座標を基準として拡大した位置にプレビュー画像２０２を配置する。
【００４１】
また、ピンチアウト操作に応じて、ナビゲーション領域２１７、及びページ制御領域２１８を非表示にする。これにより、プレビュー表示領域２０１がプレビュー画面２００に占める表示が拡張される。
【００４２】
なお、ナビゲーション領域２１７、及びページ制御領域２１８は、プレビュー画像２０２の拡大処理と同時に非表示にしてもよいし、記憶領域に予め記憶しておいたピンチアウト操作の判断とは別の所定値以上の距離の移動が行われた場合に非表示にしてもよい。
【００４３】
図２（Ｂ）のプレビュー画面２００は、ユーザからのピンチアウト操作を受け付け、ＣＰＵ１１１がプレビュー画像２０２の拡大とプレビュー表示領域２０１の拡張を行った場合の例である。本実施形態では図２（Ａ）を「通常表示モード」と呼び、図２（Ｂ）を「拡大表示モード」と呼ぶ。すなわち、通常表示モードとは、プレビュー画面２００上にプレビュー表示領域２０１、ナビゲーション領域２１７、ページ制御領域２１８を表示している状態を示す。また、拡大表示モードとは、プレビュー画面２００上で、ナビゲーション領域２１７とページ制御領域２１８を非表示にし、プレビュー表示領域２０１を拡張すると共に２１３〜２１６のボタンを表示している状態を示す。
【００４４】
プレビュー画像拡大ボタン２１３は、プレビュー表示領域２０１に表示しているプレビュー画像２０２を拡大表示するためのボタンである。プレビュー画像２０２を拡大表示させるという点で、プレビュー画像拡大ボタン２０６と同じ役割である。拡大率はプレビュー画像拡大ボタン２０６とプレビュー画像拡大ボタン２１３とで異なるようにしてもよい。これにより、表示モード毎に最適な拡大率でプレビュー画像２０２を拡大表示することができる。本実施形態では、３段階の拡大率を決め、プレビュー画像拡大ボタン２１３のタッチを検出する度に一段階ずつ拡大率を上げた表示サイズのプレビュー画像２０２をプレビュー表示領域２０１に表示する。
【００４５】
プレビュー画像縮小ボタン２１４は、プレビュー表示領域２０１に表示しているプレビュー画像２０２の画像を縮小表示するためのボタンである。ユーザがこのボタンをタッチすることによって、ＣＰＵ１１１はプレビュー画像２０２を予め決めた表示サイズに大きさを縮小し、プレビュー表示領域２０１に表示する。
【００４６】
プレビュー画像移動ボタン２１５は、プレビュー表示領域２０１に表示しているプレビュー画像２０２の表示位置を移動するためのボタンである。ユーザがこのボタンをタッチすることによって、ＣＰＵ１１１は予め決めた移動量分だけ画像の表示位置をずらし、プレビュー表示領域２０１に表示する。各ボタンが押された方向に向かってプレビュー画像２０２の表示領域は移動する。
【００４７】
閉じるボタン２１６は、拡大表示モードを終了して、通常表示モードの画面配置に変更させるためのボタンである。ユーザがこのボタンをタッチすることによって、ＣＰＵ１１１は、拡大表示モードから通常表示モードに表示内容を切り替える。
【００４８】
ここでユーザのピンチイン操作によるプレビュー画像２０２の縮小表示を行う制御について説明する。本実施形態において、ユーザはプレビュー表示領域２０１を指やペンでタッチしてピンチイン操作を行うことによって、プレビュー画像２０２を縮小表示することができる。
【００４９】
ＣＰＵ１１１は、プレビュー表示領域２０１に対するピンチイン操作を検出すると、プレビュー画面２００のレイアウトを変更し、プレビュー画像２０２の表示サイズを縮小する処理を行う。また、ＣＰＵ１１１は、２点以上のタッチ位置のタッチ中心座標を特定し、プレビュー表示領域２０１に対し、特定したタッチ中心座標を基準として縮小した位置にプレビュー画像２０２を配置する。
【００５０】
また、ＣＰＵ１１１は、タッチエンドを検出し、ピンチイン操作が終了したと判断した際に、プレビュー画面２００の表示サイズが所定の閾値以下の大きさであった場合、拡大表示モードから通常表示モードの表示内容に切り替える。そして、２１３〜２１６の各ボタンを非表示にし、ナビゲーション領域２１７と、ページ制御領域２１８を表示する。
【００５１】
ピンチアウト操作とピンチイン操作は、指やペンをタッチパネル１１８へ触れた状態のままで、相互の操作を連続的に切り替えることが可能である。例えば、ユーザがタッチパネル１１８上で２本の指を触れたまま、指の間隔を広げたり狭めたりを連続的に行うと、プレビュー画像２０２の表示サイズの拡大と縮小とが交互に行われることになる。この時、プレビュー画像２０２の表示サイズが１００％を超えたか否かのみを拡大表示モードと通常表示モードの切り替え条件とすると、二つの表示モードの切り替えが高頻度に行われることになる。その結果、プレビュー表示領域２０１の拡大・縮小、並びにナビゲーション領域２１７、ページ制御領域２１８の表示・非表示により、ユーザにとっては画面がちらついて見えてしまう。そこで、本実施形態においては、ピンチ操作による通常表示モードから拡大表示モードへの切替え条件と拡大表示モードから通常表示モードへの切替え条件とを異ならせることを特徴としている。具体的には、ピンチアウト操作の開始を通常表示モードから拡大表示モードへの切替え条件とする。一方、拡大表示モードから通常表示モードへの切替え条件については、ピンチイン操作によりプレビュー画像２０２の表示サイズが所定の閾値以下になったか否かに加え、タッチエンド操作が行われたことを条件とする。例えば、通常表示モードのときにユーザがピンチアウト操作を開始すると、タッチパネル１１８上を指又はペンが触れた状態であっても拡大表示モードに切り替わる。一方、拡大表示モードのときにユーザがピンチイン操作を開始した場合、プレビュー画像２０２の表示サイズが所定の閾値以下になってもタッチパネル１１８上に指又はペンが触れていれば通常表示モードへ切り替わらず、指又はペンが離れた時点で切り替わる。本実施形態では、通常表示モードにおけるプレビュー画像２０２の表示サイズを基準（１００％）とすると、ピンチイン操作により表示サイズが１００％に達し、かつタッチエンドを検出した際に通常表示モードに切り替わるものとする。次に、プレビュー表示領域２０１に表示されているプレビュー画像２０２の表示位置の変更方法の具体例について説明する。ＭＦＰ１０１のＣＰＵ１１１は、プレビュー表示領域２０１に対してドラッグ操作を検出した場合にドラッグ操作が行われた方向と移動量を特定する。ドラッグの方向と移動量に応じて、プレビュー表示領域２０１内のプレビュー画像２０２の表示位置を変更する。例えば、右方向へある特定の距離分タッチ位置を動かすドラッグ操作に対しては、プレビュー表示領域２０１に対するプレビュー画像２０２の表示位置を右方向へ前記特定の距離分移動させる。図２（Ｂ）の拡大表示モードにて、ピンチイン操作を行うことでプレビュー画像２０２を縮小表示した後、右方向へドラッグ操作を行うことで、図２（Ｃ）のプレビュー画面のようになる。ここで、更にピンチイン操作が行われ、拡大表示モードから通常表示モードに切り替わると、プレビュー画像２０２と重なる位置にナビゲーション領域２１７やページ制御領域２１８とが配置されることになる。そこで、ピンチイン操作が終了したと判断し、拡大表示モードから通常表示モードのレイアウトに切り替える時、ナビゲーション領域２１７やページ制御領域２１８と重ならない位置にプレビュー画像２０２を移動して表示をする。例えば、通常表示モードのプレビュー表示領域２０１の中心にプレビュー画像２０２の中心がくるよう配置する。
【００５２】
これにより、プレビュー画像２０２とナビゲーション領域２１７やページ制御領域２１８が重なり、ボタンが押せなくなったり、内容が確認できなくなったりせず、ユーザに高い操作性を提供することが可能となる。
【００５３】
又、通常表示モードから拡大表示モードへのモード切り替えの方法として、ピンチアウト操作以外の操作で切り替えてもよい。例えば、プレビュー画像拡大ボタン２０６をユーザがタッチすることによって、ＣＰＵ１１１は通常表示モードから拡大表示モードへ表示内容を切り替えるようにしてもよい。他には、通常表示モードでプレビュー画像２０２もしくはプレビュー表示領域２０１をユーザがクリックすることによって、ＣＰＵ１１１は通常表示モードから拡大表示モードへ表示内容を切り替えるようにしてもよい。
【００５４】
又、拡大表示モードから通常表示モードへの表示内容の切り替えの方法として、ピンチアウト操作と閉じるボタン２１６タッチ以外の操作で切り替えてもよい。例えば、プレビュー画像縮小ボタン２１４をユーザがタッチすることによって、ＣＰＵ１１１はプレビュー画像２０２の表示サイズが予め決めた表示サイズより小さいと判断した場合に、拡大表示モードから通常表示モードへレイアウトを切り替えるようにしてもよい。このように複数の手段でモードを切り替えることでユーザの使い勝手が向上する効果がある。
【００５５】
次に、ユーザの操作により、ディスプレイ１１９に表示されているプレビュー画面２００の表示内容を変更する一連の処理について図３のフローチャートを用いて詳細に説明する。図３の各ステップは、ＭＦＰ１０１のＣＰＵ１１１がプログラムを実行することによって処理される。実行されるプログラムは、ＲＯＭ１１３や外部メモリ１２０等のメモリに格納されており、ＲＡＭ１１２に展開されて実行される。
【００５６】
ＣＰＵ１１１は、タッチパネル１１８に対するユーザ操作を受け付ける（Ｓ３０１）。そしてＣＰＵ１１１は、Ｓ３０１において検出された操作がクリック操作であるか否かを判定する（Ｓ３０２）。クリック操作であると判定された場合は、処理はＳ３０３へ進む。クリック操作ではないと判定された場合は、処理はＳ３０９へ進む。
【００５７】
Ｓ３０３において、ＣＰＵ１１１は、プレビュー画像拡大ボタン２０６に対するクリック操作であるか否かを判定する。プレビュー画像拡大ボタン２０６に対するクリック操作であると判定された場合は、処理はＳ３０６へ進む。プレビュー画像拡大ボタン２０６に対するクリック操作ではないと判定された場合、処理はＳ３０４へ進む。そして、Ｓ３０４において、ＣＰＵ１１１は、プレビュー画像２０２に対するクリック操作であるか否かを判定する。プレビュー画像２０２に対するクリック操作であると判定された場合は、処理はＳ３０５へ進む。プレビュー画像２０２に対するクリック操作ではないと判定された場合は、プレビュー画像２０２とプレビュー表示領域２０１に対する表示変更は行わない。この場合は、プレビュー画像２０２とプレビュー表示領域２０１に対する表示変更とは別の処理を行うが、この処理については本発明と直接的に関係しないのでここでの説明は省略する。
【００５８】
Ｓ３０５において、ＣＰＵ１１１は、現在のプレビュー画面２００の表示内容が通常表示モードであるか否かを判定する。通常表示モードの場合にのみ、プレビュー画像２０２に対するクリック操作を受け付けることにより、プレビュー表示領域２０１を拡張する処理を含む拡大表示モードへ表示切り替えを行う。通常表示モードであると判定された場合は、処理はＳ３０６へ進む。ＣＰＵ１１１は、通常表示モードではないと判定した場合は、プレビュー画像２０２とプレビュー表示領域２０１に対する表示変更は行わない。
【００５９】
Ｓ３０６において、ＣＰＵ１１１は、プレビュー画像２０２の表示サイズを拡大する。そして、ＣＰＵ１１１は、ナビゲーション領域２１７およびページ制御領域２１８を非表示にすることで、プレビュー表示領域２０１を拡張する（Ｓ３０７）。また、ＣＰＵ１１１は、表示サイズを拡大したプレビュー画像２０２の画像の中心と、拡張したプレビュー表示領域２０１の領域の中心が同じ位置にくるようプレビュー画像２０２の表示位置を変更する（Ｓ３０８）。
【００６０】
Ｓ３０９において、ＣＰＵ１１１は、Ｓ３０１において検出された操作がタッチムーブ操作であるか否かを判定する。タッチムーブ操作であると判定された場合は、処理はＳ３１０へ進む。タッチムーブ操作ではないと判定された場合は、処理はＳ３２１へ進む。
【００６１】
Ｓ３１０において、ＣＰＵ１１１は、タッチムーブ操作がドラッグ操作であるか否かを判定する。ドラッグ操作であると判定された場合は、処理はＳ３１１へ進む。ドラッグ操作ではないと判定された場合は、処理はＳ３１３へ進む。そして、Ｓ３１１において、ＣＰＵ１１１は、現在のプレビュー画面２００の表示が拡大表示モードであるか否かを判定する。拡大表示モードの場合にのみ、プレビュー画像２０２に対するドラッグ操作を受け付けることにより、プレビュー画像２０２の表示位置の変更処理を行う。拡大表示モードであると判定された場合は、処理はＳ３１２へ進む。拡大表示モードではないと判定された場合、ＣＰＵ１１１はプレビュー画像２０２とプレビュー表示領域２０１に対する表示変更は行わない。そして、Ｓ３１２において、ＣＰＵ１１１は、プレビュー画像２０２のプレビュー表示領域２０１に対する表示位置を、ドラッグの方向と移動量に応じて変更する。
【００６２】
Ｓ３１３において、ＣＰＵ１１１は、タッチムーブ操作がピンチアウト操作であるか否かを判定する。ピンチアウト操作であると判定された場合は、処理はＳ３１４へ進む。ピンチアウト操作ではないと判定された場合は、処理はＳ３１８へ進む。
【００６３】
Ｓ３１４において、ＣＰＵ１１１は、プレビュー画像２０２の表示サイズを拡大し、タッチ中心座標を基準として拡大した位置にプレビュー画像２０２を配置する（Ｓ３１５）。
【００６４】
Ｓ３１６において、ＣＰＵ１１１は、現在のプレビュー画面２００の表示が通常表示モードであるか否かを判定する。通常表示モードであると判定された場合は、処理はＳ３１７へ進む。通常表示モードではないと判定された場合は、プレビュー画像２０２とプレビュー表示領域２０１に対する表示変更は行わない。Ｓ３１７において、ＣＰＵ１１１は、ナビゲーション領域２１７およびページ制御領域２１８を非表示にすることで、プレビュー表示領域２０１を拡張する。すなわち、通常表示モードのときピンチアウト操作が開始されると、通常表示モードから拡大表示モードへ表示切り替えを行う。
【００６５】
Ｓ３１８において、ＣＰＵ１１１は、タッチムーブ操作がピンチイン操作であるか否かを判定する。ピンチイン操作であると判定された場合は、処理はＳ３１９へ進む。ピンチイン操作ではないと判定された場合は、プレビュー画像２０２とプレビュー表示領域２０１に対する表示変更は行われない。そしてＳ３１９において、ＣＰＵ１１１は、プレビュー画像２０２の表示サイズを縮小し、タッチ中心座標を基準として縮小した位置にプレビュー画像２０２を配置する（Ｓ３２０）。
【００６６】
Ｓ３２１において、ＣＰＵ１１１は、Ｓ３０１において検出された操作がタッチエンド操作であるか否かを判定する。タッチエンド操作であると判定された場合は、処理はＳ３２２へ進む。タッチエンド操作ではないと判定された場合は、表示変更する処理ではないとして、処理を終了する。
【００６７】
Ｓ３２２において、ＣＰＵ１１１は、プレビュー画像２０２の表示サイズが予め決めた閾値を下回っているか否かの判定を行う。受け付けたイベントが、ピンチイン操作から指やペンが離れたことによるタッチエンド操作であり、プレビュー画像２０２の表示サイズが閾値以下になった場合に、拡大表示モードから通常表示モードへの表示内容の切り替えが実行される。ここで、通常表示モード時に表示されるプレビュー画像２０２の表示サイズを基準（表示倍率１００％）とすると、ピンチインにより表示倍率が１００％まで縮小されたことが通常表示モードへ切り替える条件であるとする。本実施形態においては、通常表示モード時に表示されているプレビュー画像２０２と同じ表示サイズを閾値とする。ＣＰＵ１１１は、プレビュー画像２０２の表示サイズが予め決めた閾値を下回っていると判定した場合、処理はＳ３２３へ進む。プレビュー画像２０２の表示サイズが予め決めた閾値を下回っていない場合は、処理は行わない。
【００６８】
Ｓ３２３において、ＣＰＵ１１１は、２１３〜２１６の一部もしくは全てのボタンを非表示にし、ナビゲーション領域２１７およびページ制御領域２１８を表示し、プレビュー表示領域２０１を縮小する。すなわち、ＣＰＵ１１１は、拡大表示モードから通常表示モードへ表示内容の切り替えを行う。
【００６９】
Ｓ３２４において、ＣＰＵ１１１は、プレビュー画像２０２の画像の中心と、縮小したプレビュー表示領域２０１の領域の中心が同じ位置にくるようプレビュー画像２０２の表示位置を変更する。
【００７０】
以上のように、本実施形態によれば、通常表示モードから拡大表示モードへプレビュー画面２００の表示内容を切り替える条件と、拡大表示モードから通常表示モードへプレビュー画面２００の表示内容を切り替える条件を異なるものとする。
【００７１】
具体的には、通常表示モードから拡大表示モードへの切替えは、ピンチアウト操作の開始（指を動かし出す）を検出したタイミングを条件とする。一方、拡大表示モードから通常表示モードへの切替えは、ピンチイン操作の終了（指を離す）を検出したタイミングを条件とする。通常表示モードと拡大表示モードの異なる二つの表示内容を双方向に切り替える際に、ピンチアウト操作の開始と、ピンチイン操作の終了という連続性のない条件にすることで、ちらつく現象が発生せず、快適な操作を提供できる。
【００７２】
また、通常表示モードと拡大表示モードとの切替え条件を逆にしてもよい。すなわち、通常表示モードから拡大表示モードへの切替えは、ピンチアウト操作の終了（指を離す）を検出したタイミングを条件とする。そして、拡大表示モードから通常表示モードへの切替えについては、プレビュー画像２０２の表示サイズが所定の閾値に達したことのみを条件とし、ピンチイン操作の終了を条件としないようにしてもよい。
【００７３】
また、本実施形態によれば、拡大表示モードの際に、プレビュー画像２０２に対する操作に関連するボタンと拡大表示モードを終了するためのボタン以外は表示しない構成であるため、不必要なボタンが表示されず、利便性が高くなる効果がある。
【００７４】
また、本実施形態では、拡大表示モード時にナビゲーション領域２１７とページ制御領域２１８を非表示とするものとして説明したが、いずれか一方のみを非表示にしてもよい。また、拡大表示モード時にナビゲーション領域２１７とページ制御領域２１８を非表示にはせずに、表示領域を縮小表示するようにしても良い。
【００７５】
なお、本実施形態によれば、拡大表示モード時には、プレビュー画像拡大ボタン２１３とプレビュー画像縮小ボタン２１４を表示するものとしたが別の構成であっても構わない。例えば、ピンチアウト操作によって通常表示モードから拡大表示モードへ表示内容を切り替えた場合は、プレビュー画像拡大ボタン２１３とプレビュー画像縮小ボタン２１４は非表示とする構成であっても構わない。この場合は、表示するボタン数が少なくなるため、ユーザが操作に迷わず、利便性が高くなる効果がある。
【００７６】
上記実施形態の説明では、本発明を実施する装置の一例としてＭＦＰとしたが、本発明を実施する装置は、ＭＦＰに限定されるものではない。即ち、ＭＦＰに限らず、印刷装置やスキャナ、ＦＡＸ、デジタルカメラ等の画像形成装置や、ＰＣや携帯情報端末等の情報処理装置を含む、少なくとも画像データを処理することができる画像処理装置に本発明は適用可能である。
【００７７】
また、本発明は、以下の処理を実行することによっても実現される。即ち、上述した実施形態の機能を実現するソフトウェア（コンピュータプログラム）を、ネットワーク又は各種記憶媒体を介してシステム或いは装置に供給する。そしてそのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００７８】
１１８  タッチパネル
１１９  ディスプレイ
【図１】
2019145183.tif 000003
【図２】
2019145183.tif 000004
【図３】
2019145183.tif 000005